(57)【要約】      （修正有）【課題】ビルトイン電気システムを具えたポータブルデバイスクレードルを提供する。【解決手段】ビルトイン電気システムを具えたポータブルデバイスクレードル１００は、クレードル１１０と該クレードル内部に設置された電気システム１２０とを包含する。該クレードルはさらに、ベース１１１と少なくとも二つのクランプエレメント１１２を包含し、該ベースはポータブルデバイスがその上に置かれる表面を具え、該少なくとも二つのクランプエレメントは、該ベースの上に配置され、該ベースの二つの反対側より延伸され、該少なくとも二つのクランプエレメントのうちの少なくとも一つは、もう一つのクランプエレメントに対して接近するか或いは遠ざかるように動き、それにより該ポータブルデバイスをつかむか釈放することができる。【選択図】図１
0003193569.tif 000002
【実用新案登録請求の範囲】
【請求項１】
ビルトイン電気システムを具えたポータブルデバイスクレードルにおいて、
クレードルであって、ベースと少なくとも二つのクランプエレメントを包含し、該ベースはポータブルデバイスがその上に置かれる表面を具え、該少なくとも二つのクランプエレメントは、該ベースの上に配置され、該ベースの二つの反対側より延伸され、該少なくとも二つのクランプエレメントのうちの少なくとも一つは、もう一つのクランプエレメントに対して接近するか或いは遠ざかるように動き、それにより該ポータブルデバイスをつかむか釈放することができる、上記クレードルと、
電気システムであって、該クレードルの該ベースの内側に設置され、さらに、
プリント基板と、
アンテナモジュールであって、電気的に該プリント基板に接続され、該アンテナモジュールは少なくとも一つのデータ信号を受け取り、さらに低ノイズアンプユニットを包含する、上記アンテナモジュールと、
ハードウエアデータプロセッサであって、該プリント基板に電気的に接続され、該ハードウエアデータプロセッサは該アンテナモジュールにより受け取った該少なくとも一つのデータ信号を処理して複数のフォーマットのデータにする、上記ハードウエアデータプロセッサと、
ハードウエアアクセスモジュールであって、該プリント基板に電気的に接続され、該ハードウエアアクセスモジュールは、少なくとも一つのコミュニケーションユニットを包含し、該ハードウエアデータプロセッサは処理済みのデータを該ハードウエアアクセスモジュールの該コミュニケーションユニットを介して、少なくとも一つの外部デバイスに伝送し、これにより該外部デバイスは該処理済みのデータに、アクセスするか、再生するか、及び又はそれを表示することができる、上記ハードウエアアクセスモジュールと、
を包含する、上記電気システムと、
を包含することを特徴とする、ビルトイン電気システムを具えたポータブルデバイスクレードル。
【請求項２】
請求項１記載のビルトイン電気システムを具えたポータブルデバイスクレードルにおいて、該電気システムはさらに、該プリント基板に電気的に接続されたカメラモジュールを包含し、該カメラモジュールは、該クレードルの該ベースの背部に配置されたレンズを包含し、該カメラモジュールは、イメージデータ信号をキャプチャし、このキャプチャされたイメージデータを該ハードウエアデータプロセッサに伝送することを特徴とする、ビルトイン電気システムを具えたポータブルデバイスクレードル。
【請求項３】
請求項２記載のビルトイン電気システムを具えたポータブルデバイスクレードルにおいて、該少なくとも一つのデータ信号は、デジタルオーディオブロードキャスト信号、交通及び旅行情報信号のいずれかを包含し、該ハードウエアデータプロセッサはさらに、オーディオ及びスライドデコーダを包含し、該ハードウエアアクセスモジュールは、カーラジオに接続するための有線オーディオＡＵＸ−ｉｎジャックを包含することを特徴とする、ビルトイン電気システムを具えたポータブルデバイスクレードル。
【請求項４】
請求項２記載のビルトイン電気システムを具えたポータブルデバイスクレードルにおいて、該少なくとも一つのデータ信号は、交通及び旅行情報信号を包含し、該ハードウエアデータプロセッサはさらに交通及び旅行情報デコーダを包含することを特徴とする、ビルトイン電気システムを具えたポータブルデバイスクレードル。
【請求項５】
請求項２記載のビルトイン電気システムを具えたポータブルデバイスクレードルにおいて、該ハードウエアデータプロセッサは、該カメラモジュールによりキャプチャされたイメージデータ信号を処理するためのイメージプロセッサを包含することを特徴とする、ビルトイン電気システムを具えたポータブルデバイスクレードル。
【請求項６】
請求項２記載のビルトイン電気システムを具えたポータブルデバイスクレードルにおいて、該ハードウエアアクセスモジュールはさらにブルートゥースコミュニケーションモジュールを包含することを特徴とする、ビルトイン電気システムを具えたポータブルデバイスクレードル。
【請求項７】
請求項２記載のビルトイン電気システムを具えたポータブルデバイスクレードルにおいて、該ハードウエアアクセスモジュールはさらに、８０２．１１Ｂ／Ｇ／Ｐコミュニケーションモジュールを包含することを特徴とする、ビルトイン電気システムを具えたポータブルデバイスクレードル。
【考案の詳細な説明】
【技術分野】
【０００１】
本考案は、ビルトイン電気システムを具えたポータブルデバイスクレードルに関する。
【背景技術】
【０００２】
ポータブル電気デバイスがユビキタスになるにつれ、ポータブル電気デバイスの広範囲の応用が車内での使用のために発展してきた。結果的に、各種のアクセサリ機器が設計され製造されている。たとえば、ポータブルデバイスクレードル、ポータブル電気装置を車内で保持するために発展し、たとえば、ＧＰＳナビゲーションが使えるスマートホンを運転中に使用するときなど、ドライバーが電気装置を手で保持することで注意を削がれることがないようにしている。
【０００３】
一方、車両のモバイルコミュニケーションは長く注目を集めている。デジタルオーディオブロードキャスウト（ＤＡＢ）装置は、他の最近の車両のモバイルコミュニケーションプロトコル及び装置、たとえば８０２．１１Ｐ／ＥＴＳＩ  Ｇ５、Ｔｒａｎｓｐｏｒｔ
Ｐｒｏｔｏｃｏｌ  Ｅｘｐｅｒｔｓ  Ｇｒｏｕｐ（ＴＰＥＧ）等と同様、車内でよく見かけられるようになっている。より多くのポータブル電器デバイスが車内の限られた空間でせめぎ合うようになると、各種機能を利用可能なままにしてドライバーに便利としつつも空間を有効活用できるメカニズムを考案することが重要である。
【考案の概要】
【考案が解決しようとする課題】
【０００４】
本考案の第１の目的はビルトイン電気システムを具えたポータブルデバイスクレードルを提供することにある。
【課題を解決するための手段】
【０００５】
ある実施例において、ビルトイン電気システムを具えたポータブルデバイスクレードルは、クレードルと該クレードル内部に設置された電気システムとを包含する。該クレードルはさらに、ベースと少なくとも二つのクランプエレメントを包含し、該ベースはポータブルデバイスがその上に置かれる表面を具え、該少なくとも二つのクランプエレメントは、該ベースの上に配置され、該ベースの二つの反対側より延伸され、該少なくとも二つのクランプエレメントのうちの少なくとも一つは、もう一つのクランプエレメントに対して接近するか或いは遠ざかるように動き、それにより該ポータブルデバイスをつかむか釈放することができる。該電気システムは、該クレードルのベースの内側に設置され、さらに、プリント基板、アンテナモジュール、ハードウエアデータプロセッサ、及びハードウエアアクセスモジュールを包含する。そのうち、該アンテナモジュールは電気的に該プリント基板に接続され、該アンテナモジュールは少なくとも一つのデータ信号を受け取り、さらに低ノイズアンプユニットを包含する。該ハードウエアデータプロセッサは該プリント基板に電気的に接続され、該ハードウエアデータプロセッサは該アンテナモジュールにより受け取った該少なくとも一つのデータ信号を処理して複数のフォーマットのデータにする。及び該ハードウエアアクセスモジュールは該プリント基板に電気的に接続され、該ハードウエアアクセスモジュールは、少なくとも一つのコミュニケーションユニットを包含し、該ハードウエアデータプロセッサは処理済みのデータを該ハードウエアアクセスモジュールの該コミュニケーションユニットを介して、少なくとも一つの外部デバイスに伝送し、これにより該外部デバイスは該処理済みのデータに、アクセスするか、再生するか、及び又はそれを表示することができる。
【０００６】
本考案の前述の及び他の目的、特徴、見地、及び利点は、以下に添付の図面を参照して提供される具体的な説明を注意深く読まれることにより、より理解され得る。
【考案の効果】
【０００７】
本考案のビルトイン電気システムを具えたポータブルデバイスクレードルは、クレードルと該クレードル内部に設置された電気システムとを包含する。該クレードルはさらに、ベースと少なくとも二つのクランプエレメントを包含し、該ベースはポータブルデバイスがその上に置かれる表面を具え、該少なくとも二つのクランプエレメントは、該ベースの上に配置され、該ベースの二つの反対側より延伸され、該少なくとも二つのクランプエレメントのうちの少なくとも一つは、もう一つのクランプエレメントに対して接近するか或いは遠ざかるように動き、それにより該ポータブルデバイスをつかむか釈放することができる。該電気システムは、プリント基板、データ信号を受け取るアンテナモジュール、該データ信号を処理して複数のフォーマットとするハードウエアデータプロセッサ、少なくとも一つのコミュニケーションユニットを包含するハードウエアアクセスモジュールを包含する。該ハードウエアデータプロセッサは処理済みデータをコミュニケーションユニットを介して外部デバイスに送り処理済みデータを再生させる。
【図面の簡単な説明】
【０００８】
【図１】本考案によるビルトイン電気システムを具えたポータブルデバイスクレードルの実施例の構造概略図である。
【図２】本考案によるビルトイン電気システムを具えたポータブルデバイスクレードルの別の実施例の構造概略図である。
【考案を実施するための形態】
【０００９】
図１は本考案によるビルトイン電気システムを具えたポータブルデバイスクレードルの実施例の構造概略図である。図１に示されるように、ビルトイン電気システムを具えたポータブルデバイスクレードル１００は、クレードル１１０と該クレードル１１０内部に設置された電気システム１２０とを包含する。注意すべきことは、該クレードル１１０内部に設置された該電気システム１２０は隠されて、該ポータブルデバイスクレードル１００の外観からは見えないことである。図１において該電気システム１２０が見えるように描かれているのは、単に説明のためである。該クレードル１１０はさらに、ベース１１１と少なくとも二つのクランプエレメント１１２を包含し、該ベース１１１はポータブルデバイスがその上に置かれる表面を具え、該少なくとも二つのクランプエレメント１１２は、該ベース１１１の上に配置され、該ベース１１１の二つの反対側より延伸され、該少なくとも二つのクランプエレメント１１２のうちの少なくとも一つは、もう一つのクランプエレメント１１２に対して接近するか或いは遠ざかるように動き、それにより該ベース１１１の該表面に置かれた該ポータブルデバイスをつかむか釈放することができる。該電気システム１２０は、該クレードル１１０のベース１１１の内側に設置され、さらに、プリント基板（ＰＣＢ）１２１、アンテナモジュール１２２、ハードウエアデータプロセッサ１２３、及びハードウエアアクセスモジュール１２４を包含する。そのうち、該アンテナモジュール１２２は電気的に該プリント基板１２１に接続され、該アンテナモジュールは少なくとも一つのデータ信号を受け取る。該アンテナモジュール１２２は、さらに低ノイズアンプユニット１２２１を包含する。該ハードウエアデータプロセッサ１２３は該プリント基板１２１に電気的に接続され、該ハードウエアデータプロセッサ１２３は該アンテナモジュール１２２により受け取った該少なくとも一つのデータ信号を処理して複数のフォーマットのデータにする。該ハードウエアアクセスモジュール１２４は該プリント基板１２１に電気的に接続される。該ハードウエアアクセスモジュール１２４は、少なくとも一つのコミュニケーションユニット１２４１を包含し、該ハードウエアデータプロセッサ１２３は処理済みのデータを該ハードウエアアクセスモジュール１２４の該コミュニケーションユニット１２４１を介して、少なくとも一つの外部デバイスに伝送し、これにより該外部デバイスは該処理済みのデータに、アクセスするか、再生するか、及び又はそれを表示することができる。
【００１０】
注意されるべきことは、他の実施例において、該電気システム１２０はさらに、該プリント基板１２１に電気的に接続されたカメラモジュール１２５を包含してもよいということである。該カメラモジュール１２５は、該クレードル１１０のベース１１１の背部に配置されたレンズを包含する。該カメラモジュール１２５は、イメージデータ信号をキャプチャし、このキャプチャされたイメージデータを該ハードウエアデータプロセッサ１２３に伝送する。
【００１１】
これも注意されるべきことであるが、該アンテナモジュール１２２により受け取られた少なくとも一つのデータ信号は、これに限定されるわけではないが、デジタルオーディオブロードキャスト信号、交通及び旅行情報信号、などを包含してもよい。したがって、該ハードウエアデータプロセッサ１２３は、このようなデータ信号を処理して該ハードウエアアクセスモジュール１２４を通して該電気システム１２０に接続された各種外部デバイスにアクセス、或いは各種外部デバイスにより再生或いは表示される各種形式のデータとなす機能を具えた対応エレメントと共に配置されるべきである。たとえば、該ハードウエアデータプロセッサ１２３は、アンテナによりデジタルオーディオブロードキャスト信号が受け取られるときオーディオ及びスライドデコーダを包含し得る。同様に、該ハードウエアアクセスモジュール１２４のコミュニケーションユニット１２４１は、これに限定されるわけではないが、ＡＵＸ−ｉｎジャック、ブルートゥースインターフェースユニット、８０２．１１Ｂ／Ｇ／Ｐ、ＦＭトランシーバー、ＵＳＢ等とされ得て、各種範囲の外部デバイスに接続される。
【００１２】
たとえば、該アンテナモジュール１２２により受け取られた該少なくとも一つのデータ信号がデジタルオーディオブロードキャスト信号を包含するとき、該ハードウエアデータプロセッサ１２３はさらにオーディオ及びスライドデコーダを包含し、及び該ハードウエアアクセスモジュール１２４は有線オーディオＡＵＸ−ｉｎジャックを、カーラジオに接続するために包含する。他の実施例では、該少なくとも一つのデータ信号が交通及び旅行情報信号を包含し、該ハードウエアデータプロセッサ１２３はさらに交通及び旅行デコーダを包含する。
【００１３】
図２は本考案のビルトイン電気システムを具えたポータブルデバイスクレードルのもう一つの実施例の構造概略図である。この実施例において、該電気システム１２０はさらにカメラモジュール１２５を包含し、該ハードウエアデータプロセッサ１２３はさらに該カメラモジュール１２５によりキャプチャされたイメージデータ信号を処理するためのイメージプロセッサを包含する。注意されるべきことは、該カメラモジュールは該ベース１１１の背部に配置され、このため該カメラはポータブルデバイスがクレードルに配置され夾持されたときにブロックされないということである。
【００１４】
まとめると、本考案のビルトイン電気システムを具えたポータブルデバイスクレードルは、各種のポータブル電気デバイスを保持でき、車内でハンドヘルドポータブル電気デバイス或いは各種外部デバイスによりアクセスするための各種信号を受け取り、処理し、及び出力するためのビルトイン電気システムを具えている。
【００１５】
本考案の実施例はビルトイン電気システムを具えたポータブルデバイスクレードルを提供し、それは、クレードルと該クレードル内部に設置された電気システムとを包含する。該クレードルはさらに、ベースと少なくとも二つのクランプエレメントを包含し、該ベースはポータブルデバイスがその上に置かれる表面を具え、該少なくとも二つのクランプエレメントは、該ベースの上に配置され、該ベースの二つの反対側より延伸され、該少なくとも二つのクランプエレメントのうちの少なくとも一つは、もう一つのクランプエレメントに対して接近するか或いは遠ざかるように動き、それにより該ポータブルデバイスをつかむか釈放することができる。該電気システムは、該クレードルのベースの内側に設置され、さらに、プリント基板、アンテナモジュール、ハードウエアデータプロセッサ、及びハードウエアアクセスモジュールを包含する。そのうち、該アンテナモジュールは電気的に該プリント基板に接続され、該アンテナモジュールは少なくとも一つのデータ信号を受け取り、さらに低ノイズアンプユニットを包含する。該ハードウエアデータプロセッサは該プリント基板に電気的に接続され、該ハードウエアデータプロセッサは該アンテナモジュールにより受け取った該少なくとも一つのデータ信号を処理して複数のフォーマットのデータにする。及び該ハードウエアアクセスモジュールは該プリント基板に電気的に接続され、該ハードウエアアクセスモジュールは、少なくとも一つのコミュニケーションユニットを包含し、該ハードウエアデータプロセッサは処理済みのデータを該ハードウエアアクセスモジュールの該コミュニケーションユニットを介して、少なくとも一つの外部デバイスに伝送し、これにより該外部デバイスは該処理済みのデータに、アクセスするか、再生するか、及び又はそれを表示することができる。
【００１６】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１７】
１００  ポータブルデバイスクレードル
１１０  クレードル
１２０  電気システム
１１１  ベース
１１２  クランプエレメント
１２１  プリント基板
１２２  アンテナモジュール
１２３  ハードウエアデータプロセッサ
１２４  ハードウエアアクセスモジュール
１２２１  低ノイズアンプユニット
１２４１  コミュニケーションユニット
１２５  カメラモジュール
【図１】
0003193569.tif 000003
【図２】
0003193569.tif 000004